(57)【要約】【課題】ＳＬＡに応じてＷＤＭ光内の各チャネルの伝送品質を自律的に調整すること。【解決手段】光伝送システムは、光伝送路を通じて波長分割多重光を伝送する複数の光伝送装置と、複数の光伝送装置を管理する管理装置とを含む光伝送システムである。複数の光伝送装置のうち少なくともいずれか一つの任意の光伝送装置は、調整部と、制御部とを備える。調整部は、波長分割多重光内の各チャネルの光パワーを調整する。制御部は、管理装置から設定される調整量に基づき、調整部を制御する。管理装置は、変換部と、決定部とを備える。変換部は、波長分割多重光内の各チャネルを用いて提供されるサービスの品質を評価するための評価値を各チャネルが満たすべき伝送品質の閾値に変換する。決定部は、任意の光伝送装置の調整部で調整する波長分割多重光内の各チャネルの光パワーに基づき、各チャネルの伝送品質を求め、求めた各チャネルの伝送品質が閾値を満たすように、任意の伝送装置に設定すべき調整量を決定する。【選択図】図２
2015019337.tif 000002
【特許請求の範囲】
【請求項１】
光伝送路を通じて波長分割多重光を伝送する複数の光伝送装置と、前記複数の光伝送装置を管理する管理装置とを含む光伝送システムであって、
前記複数の光伝送装置のうち少なくともいずれか一つの任意の光伝送装置は、
前記波長分割多重光内の各チャネルの光パワーを調整する調整部と、
前記管理装置から設定される調整量に基づき、前記調整部を制御する制御部と
を備え、
前記管理装置は、
前記波長分割多重光内の各チャネルを用いて提供されるサービスの品質を評価するための評価値を前記各チャネルが満たすべき伝送品質の閾値に変換する変換部と、
前記任意の光伝送装置の前記調整部で調整する前記波長分割多重光内の各チャネルの監視情報に基づき、各チャネルの伝送品質を算出し、算出した各チャネルの伝送品質が前記閾値を満たすように、前記任意の伝送装置に設定すべき前記調整量を決定する決定部と
を備えたことを特徴とする光伝送システム。
【請求項２】
前記サービスが提供される時間に対する、前記光伝送路を通じて前記波長分割多重光が実際に伝送される時間の比率と、前記波長分割多重光の伝送時に許容される遅延時間とを前記評価値として取得する取得部をさらに備え、
前記変換部は、前記取得部によって前記指標値として取得された前記比率を前記閾値に変換し、
前記決定部は、前記取得部によって前記指標値として取得された前記遅延時間が最も短い時間を示す場合に、算出した前記波長分割多重光内の各チャネルの伝送品質が前記閾値を満たすように、前記調整量を決定する
ことを特徴とする請求項１に記載の光伝送システム。
【請求項３】
前記決定部は、算出した前記波長分割多重光内の各チャネルの伝送品質のうち特定のチャネルの伝送品質が前記閾値を満たさない場合に、前記特定のチャネルの光パワーを所定の増加量だけ増加させるとともに、前記特定のチャネル以外の他のチャネルの総数で前記増加量を除算して得られる減少量だけ前記他のチャネルの光パワーを減少させる第一の調整量を前記調整量として決定する
ことを特徴とする請求項１または２に記載の光伝送システム。
【請求項４】
前記決定部は、前記第一の調整量を決定した後、前記他のチャネルのうち少なくとも一つのチャネルの伝送品質が前記閾値を満たさない場合に、前記少なくとも一つのチャネルの光パワーを前記減少量だけ増加させるとともに、前記少なくとも一つのチャネルの総数を前記減少量に乗算して得られる量だけ前記特定の光チャネルの光パワーを減少させる第二の調整量を前記調整量として新たに決定する
ことを特徴とする請求項３に記載の光伝送システム。
【請求項５】
前記決定部は、算出した前記波長分割多重光内の各チャネルの伝送品質のうち特定のチャネルの伝送品質が前記閾値を満たさない場合に、前記特定のチャネルの光パワーを所定の増加量だけ増加させるとともに、前記特定のチャネル以外の他のチャネルであり、かつ、当該他のチャネルの伝送品質と前記閾値との差が最も大きい前記他のチャネルの光パワーを前記増加量だけ減少させる第一の調整量を前記調整量として決定する
ことを特徴とする請求項１または２に記載の光伝送システム。
【請求項６】
前記決定部は、前記第一の調整量を決定した後、前記他のチャネルの伝送品質が前記閾値を満たさない場合に、前記差が最も大きい前記他のチャネルに替えて、前記差が２番目に大きい前記他のチャネルの光パワーを前記増加量だけ減少させる第二の調整量を前記調整量として新たに決定する
ことを特徴とする請求項５に記載の光伝送システム。
【請求項７】
前記特定のチャネルは、前記波長分割多重光内の各チャネルのうち、前記評価値が新たに設定される新設のチャネルであり、
前記他のチャネルは、前記評価値が既に設定された既設のチャネルである
ことを特徴とする請求項３〜６のいずれか一つに記載の光伝送システム。
【請求項８】
前記特定のチャネルは、前記波長分割多重光内の各チャネルのうち、前記評価値が変更される既設のチャネルであり、
前記他のチャネルは、前記評価値が変更されない既設のチャネルである
ことを特徴とする請求項３〜６のいずれか一つに記載の光伝送システム。
【請求項９】
光伝送路を通じて波長分割多重光を伝送する複数の光伝送装置を管理する管理装置であって、
前記波長分割多重光内の各チャネルを用いて提供されるサービスの品質を評価するための評価値を前記各チャネルが満たすべき伝送品質の閾値に変換する変換部と、
前記複数の光伝送装置のうち少なくともいずれか一つの任意の光伝送装置の調整部で調整する前記波長分割多重光内の各チャネルの監視情報に基づき、各チャネルの伝送品質を算出し、算出した各チャネルの伝送品質が前記閾値を満たすように、前記任意の光伝送装置の前記調整部を調整するための調整量を決定する決定部と
を備えたことを特徴とする管理装置。
【請求項１０】
光伝送路を通じて波長分割多重光を伝送する複数の光伝送装置と、前記複数の光伝送装置を管理する管理装置とを含む光伝送システムによる信号調整方法であって、
前記管理装置は、
前記波長分割多重光内の各チャネルを用いて提供されるサービスの品質を評価するための評価値を前記各チャネルが満たすべき伝送品質の閾値に変換し、
前記複数の光伝送装置のうち少なくともいずれか一つの任意の光伝送装置の調整部で調整する前記波長分割多重光内の各チャネルの監視情報に基づき、各チャネルの伝送品質を算出し、算出した各チャネルの伝送品質が前記閾値を満たすように、前記任意の伝送装置の前記調整部を調整するための調整量を決定し、
決定した前記調整量を前記任意の伝送装置に設定し、
前記任意の光伝送装置は、
前記管理装置から設定される前記調整量に基づき、前記波長分割多重光内の各チャネルの光パワーを調整する前記調整部を制御する
処理を実行することを特徴とする信号調整方法。
【発明の詳細な説明】
【技術分野】
【０００１】
本発明は、光伝送システム、管理装置及び信号調整方法に関する。
【背景技術】
【０００２】
従来、信号光の伝送方式として、異なる波長の複数の信号光を多重化して得られる波長分割多重（ＷＤＭ：Wavelength  Division  Multiplexing）光を用いて大容量の情報を一度に伝送するＷＤＭ伝送方式が知られている。ＷＤＭ伝送方式の用途としては、例えば金融取引システムやデータセンタシステム等の光伝送システムが挙げられる。ＷＤＭ伝送方式を採用した光伝送システムでは、ＷＤＭ光内の各チャネルを用いて提供されるサービスの品質を評価するための評価値が採用されることがある。このような評価値は、ＳＬＡ（Service  Level  Agreement）と呼ばれる。ＳＬＡには、例えば、「可用性」や「遅延」等の種々の評価値が含まれる。可用性とは、ＷＤＭ光内の各チャネルを用いてサービスが提供される時間に対する、ＷＤＭ光が実際に伝送される時間の比率である。遅延とは、ＷＤＭ光の伝送時に許容される遅延時間である。
【０００３】
また、ＷＤＭ伝送方式を採用した光伝送システムにおいて、ＷＤＭ光内の各チャネルのリソースを確保するために、ＳＬＡとしてのサービス制約をＷＤＭ光内の各チャネルに課す技術が知られている。
【先行技術文献】
【特許文献】
【０００４】
【特許文献１】特表２０１１−５１８５１７号公報
【発明の概要】
【発明が解決しようとする課題】
【０００５】
しかしながら、従来技術では、ＷＤＭ光内の各チャネルを用いて提供されるサービスの品質を評価するためのＳＬＡを各チャネルが満たすべき伝送品質に変換する手段を有さないため、ＷＤＭ光内の各チャネルの伝送品質が劣化するという問題がある。
【０００６】
すなわち、従来技術では、ＳＬＡを各チャネルが満たすべき伝送品質に変換する手段を有さないため、ＷＤＭ光内の各チャネルの伝送品質を所望の品質に維持するために、各チャネルの光パス上に再生中継器（ＲＥＧ：REGenarator）を導入する。ＲＥＧは、Ｏ（Optical）／Ｅ（Electrical）／Ｏ変換を用いて、ＷＤＭ光の波形を再生する機器である。各チャネルの光パス上に導入されるＲＥＧの数が増大すると、ＷＤＭ光の伝送時の遅延時間が増大する。その結果、ＷＤＭ光内の各チャネルの伝送品質が劣化する恐れがある。ＷＤＭ光内の各チャネルの伝送品質が劣化すると、ＷＤＭ光内の各チャネルを用いて提供されるサービスの品質がＳＬＡを満足することが困難となる。
【０００７】
この点、ＷＤＭ光内の各チャネルの伝送品質の劣化を抑えるために、光伝送システム内の光伝送装置が、波長選択スイッチ（ＷＳＳ：Wavelength  Selective  Switch）を内蔵する構成が想定される。ＷＳＳは、前段側から入力されるＷＤＭ光内の各チャネルの光パワーを調整し、調整したＷＤＭ光を後段側へ出力する機能を有する。このような構成では、ＳＬＡに応じてＷＤＭ光内の各チャネルの伝送品質を自律的に調整可能とすることが望ましい。
【０００８】
開示の技術は、上記に鑑みてなされたものであって、ＳＬＡに応じてＷＤＭ光内の各チャネルの伝送品質を自律的に調整することができる光伝送システム、管理装置及び信号調整方法を提供することを目的とする。
【課題を解決するための手段】
【０００９】
本願の開示する光伝送システムは、一つの態様において、光伝送路を通じて波長分割多重光を伝送する複数の光伝送装置と、前記複数の光伝送装置を管理する管理装置とを含む光伝送システムである。前記複数の光伝送装置のうち少なくともいずれか一つの任意の光伝送装置は、調整部と、制御部とを備える。調整部は、前記波長分割多重光内の各チャネルの光パワーを調整する。制御部は、前記管理装置から設定される調整量に基づき、前記調整部を制御する。前記管理装置は、変換部と、決定部とを備える。変換部は、前記波長分割多重光内の各チャネルを用いて提供されるサービスの品質を評価するための評価値を前記各チャネルが満たすべき伝送品質の閾値に変換する。決定部は、前記任意の光伝送装置の前記調整部で調整する前記波長分割多重光内の各チャネルの光パワーに基づき、各チャネルの伝送品質を求め、求めた各チャネルの伝送品質が前記閾値を満たすように、前記任意の伝送装置に設定すべき前記調整量を決定する。
【発明の効果】
【００１０】
本願の開示する光伝送システムの一つの態様によれば、ＳＬＡに応じてＷＤＭ光内の各チャネルの伝送品質を自律的に調整することができるという効果を奏する。
【図面の簡単な説明】
【００１１】
【図１】図１は、実施例１の光伝送システムの一例を示す説明図である。
【図２】図２は、実施例１の光伝送システム内の光伝送装置及び管理装置の構成例を示す説明図である。
【図３】図３は、ＤＧＤの分布の一例を示す図である。
【図４】図４は、ＤＧＤ／Ｑ値対応テーブルの一例を示す説明図である。
【図５】図５は、実施例１における調整量を決定する処理の一例を示す説明図である。
【図６】図６は、実施例１の光伝送システムの全体の処理の一例を示すフローチャートである。
【図７】図７は、実施例１の光伝送システムの準備処理の一例を示すフローチャートである。
【図８】図８は、新設チャネルに対応する光パスを生成する処理の一例を示す説明図である。
【図９】図９は、実施例１の光伝送システムの設計時信号調整処理の一例を示すフローチャートである。
【図１０】図１０は、実施例１の光伝送システムのＳＬＡ／閾値変換処理の一例を示すフローチャートである。
【図１１】図１１は、実施例１の光伝送システムの伝送品質判定処理の一例を示すフローチャートである。
【図１２】図１２は、実施例１の光伝送システムの調整量決定処理の一例を示すフローチャートである。
【図１３】図１３は、実施例１の光伝送システムの運用時信号調整処理の一例を示すフローチャートである。
【図１４】図１４は、実施例１におけるＷＤＭ光内の各チャネルの伝送品質の調整例を示す説明図である。
【図１５】図１５は、実施例２の光伝送システム内の光伝送装置及び管理装置の構成例を示す説明図である。
【図１６】図１６は、実施例２における調整量を決定する処理の一例を示す説明図である。
【図１７】図１７は、実施例２の光伝送システムの調整量決定処理の一例を示すフローチャートである。
【図１８】図１８は、実施例３の光伝送システムの全体の処理の一例を示すフローチャートである。
【図１９】図１９は、実施例３の光伝送システムの準備処理の一例を示すフローチャートである。
【図２０】図２０は、実施例３の光伝送システムの設計時信号調整処理の一例を示すフローチャートである。
【図２１】図２１は、実施例３の光伝送システムの調整量決定処理の一例を示すフローチャートである。
【図２２】図２２は、実施例３の光伝送システムの運用時信号調整処理の一例を示すフローチャートである。
【図２３】図２３は、実施例１の変形例の光伝送システム内の光伝送装置及び管理装置の構成例を示す説明図である。
【発明を実施するための形態】
【００１２】
以下に、本願の開示する光伝送システム、管理装置及び信号調整方法を図面に基づいて詳細に説明する。なお、この実施例により開示技術が限定されるものではない。
【実施例１】
【００１３】
図１は、実施例１の光伝送システムの一例を示す説明図である。図１に示す光伝送システム１は、光ファイバ等の光伝送路４で接続される複数の光伝送装置２と、複数の光伝送装置２を管理する管理装置３とを有する。光伝送装置２は、光伝送路４を通じて他の光伝送装置２との間で、波長分割多重（ＷＤＭ：Wavelength  Division  Multiplexing）光を伝送する。光伝送装置２は、例えば、ＷＤＭ光に対する光挿入／光分岐を実行可能な光分岐挿入装置（ＯＡＤＭ：Optical  Add-Drop  Multiplexer）や、ＯＡＤＭ間を中継する、アンプ内蔵の中継ノードであるインラインアンプ（ＩＬＡ：In-Line  Amplifier）である。光伝送システム１内の複数の光伝送装置２のうち少なくともいずれか一つの光伝送装置２は、ＯＡＤＭであるものとする。
【００１４】
図２は、実施例１の光伝送システム内の光伝送装置及び管理装置の構成例を示す説明図である。図２では、説明の便宜を図るため、光伝送装置がＯＡＤＭである場合の構成例のみが示され、光伝送装置がＩＬＡである場合の構成例が省略されるものとする。
【００１５】
図２に示す光伝送装置２は、プリアンプ２１と、受信部２２と、送信部２３と、調整機能付きＷＳＳ（Wavelength  Selective  Switch）２４と、ポストアンプ２５と、制御部２６とを有する。プリアンプ２１は、光伝送路４を通じて受信したＷＤＭ光を増幅する。受信部２２は、例えば、ＡＷＧ（Array  Waveguide  Grating）及びＴＲＰ（Transponder）を含み、光伝送路４を通じて受信したＷＤＭ光から分岐される信号光を受信する機能を有する。送信部２３は、例えば、ＡＷＧ及びＴＲＰを含み、所望の波長の信号光が挿入されたＷＤＭ光を光伝送路４上に送信する機能を有する。
【００１６】
調整機能付きＷＳＳ２４は、汎用のＷＳＳと同様に、受信したＷＤＭ光から所望の波長のチャネルの信号光を分岐するＤｒｏｐ機能や、送信部２３から取得した信号光をＷＤＭ光に挿入するＡｄｄ機能を備えている。さらに、調整機能付きＷＳＳ２４は、ＷＤＭ光内の各チャネルの光パワーを調整する。調整機能付きＷＳＳ２４を具備する光伝送装置２が、管理装置３による調整対象の光伝送装置２となる。
【００１７】
制御部２６は、管理装置３から設定される調整量に基づき、調整機能付きＷＳＳ２４の透過特性を制御する。管理装置３から設定される調整量は、ＷＤＭ光内の各チャネルの光パワーの利得を調整する減衰量等を含む。また、ポストアンプ２５は、調整機能付きＷＳＳ２４で調整されたＷＤＭ光を増幅して光伝送路４上に出力する。
【００１８】
管理装置３は、例えば、汎用のパーソナルコンピュータやワークステーション等で構成され、光伝送システム１内の全ての光伝送装置２とＬＡＮ（Local  Area  Network）等で接続される。管理装置３は、取得部３１と、変換部３２と、決定部３３とを有する。なお、図２では、ＷＤＭ光内の各チャネルの光パワーを調整する信号調整処理に関わる構成のみを示し、説明の便宜上、その他の構成を省略した。
【００１９】
取得部３１は、ＷＤＭ光内の各チャネルを用いて提供されるサービスの品質を評価するための評価値を取得する。このような評価値は、ＳＬＡ（Service  Level  Agreement）と呼ばれる。ＳＬＡは、ＷＤＭ光内の各チャネルを用いたサービスの提供者が、サービスの内容や品質をサービスの利用者に保証する取り決めを指す。
【００２０】
詳細には、取得部３１は、ユーザインタフェース等の入力部を用いて、「可用性（Availability）」と、「遅延」とをＳＬＡとして取得する。ここで、可用性とは、ＷＤＭ光内の各チャネルを用いてサービスが提供される時間に対する、ＷＤＭ光が実際に伝送される時間の比率である。
【００２１】
また、遅延とは、ＷＤＭ光の伝送時に許容される遅延時間である。遅延は、例えば、遅延時間の長短に応じて、「Ｐｒｅｍｉｕｍ」、「Ｎｏｒｍａｌ」及び「Ｂｅｓｔ−ｅｆｆｏｒｔ」等を含む複数のモードに分類される。「Ｐｒｅｍｉｕｍ」は、遅延時間が最も短い時間であることを示すモードである。「Ｂｅｓｔ−ｅｆｆｏｒｔ」は、遅延時間が最も長い時間であることを示すモードである。「Ｎｏｒｍａｌ」は、遅延時間が「Ｐｒｅｍｉｕｍ」と「Ｂｅｓｔ−ｅｆｆｏｒｔ」との中間に存在する標準的な時間であることを示すモードである。可用性及び遅延等を含むＳＬＡは、例えば、ユーザによって要求される光伝送装置２の組合せであって、かつ、ＷＤＭ光の送信元及び送信先となる一対の光伝送装置２の組合せに関連付けて、取得される。
【００２２】
変換部３２は、取得部３１によって取得されたＳＬＡを、ＷＤＭ光内の各チャネルが満たすべきＱ値の閾値Ｑｔｈに変換する。Ｑ値は、伝送品質の一例である。詳細には、変換部３２は、取得部３１によって取得されたＳＬＡのうち可用性Ｐａを、ＷＤＭ光内の各チャネルが満たすべきＱ値の閾値Ｑｔｈに変換する。
【００２３】
ここで、可用性Ｐａを閾値Ｑｔｈに変換する処理の一例を説明する。まず、変換部３２は、ＳＬＡのうち可用性Ｐａに基づき、ＷＤＭ光内の各チャネルに対応する光パスごとの伝送断率（Outage）Ｐｏを算出する。伝送断率とは、光パスの微分群遅延差（ＤＧＤ：Differential  Group  Delay）が予め定められたＤＧＤの最大値ＤＧＤｍａｘを超過することに起因して、光パス上で伝送の遮断が発生する確率を指す。以下では、ＷＤＭ光内の各チャネルのうち、ＳＬＡが新たに設定される新設のチャネル（以下「新設チャネル」という）を例に挙げて説明する。
【００２４】
新設チャネルに対応する光パスの総数が「１」である場合、以下の式（１）に示す関係が成立する。
【００２５】
Ｐａ＝１−Ｐｏ      …  （１）
【００２６】
また、新設チャネルに対応する光パスの総数が「２」である場合、以下の式（２）に示す関係が成立する。
【００２７】
Ｐａ＝（１−Ｐｏ）×（１−Ｐｏ）＝１−２Ｐｏ＋Ｐｏ２      …  （２）
【００２８】
また、新設チャネルに対応する光パスの総数が「３」である場合、以下の式（３）に示す関係が成立する。
【００２９】
Ｐａ＝（１−Ｐｏ）×（１−Ｐｏ）×（１−Ｐｏ）
＝１−３Ｐｏ＋３Ｐｏ２−Ｐｏ３      …  （３）
【００３０】
ここで、物理レイヤの設計において、Ｐｏは十分小さい値を用いることが多いため、Ｐｏ２＜＜１であり、Ｐｏ２やＰｏ３等のＰｏをべき乗した項は、無視し得る。すると、新設チャネルに対応する光パスの総数が「ｎ（ｎは、１以上の整数）」である場合、以下の式（４）に示す関係が成立する。なお、例えばＰｏ＝１．０×１０−５とすると、Ｐｏ２＝１．０×１０−１０＜＜１が成立する。
【００３１】
Ｐａ＝１−ｎＰｏ      …  （４）
【００３２】
変換部３２は、ＳＬＡのうち可用性Ｐａに基づき、上記式（４）を用いて、新設チャネルに対応する光パスごとの伝送断率Ｐｏを算出する。
【００３３】
続いて、変換部３２は、伝送断率Ｐｏに基づき、下記式（５）及び式（６）を用いて、ＤＧＤの最大値ＤＧＤｍａｘを算出する。ＤＧＤの分布の一例を図３に示す。
【００３４】
【数１】
2015019337.tif 000003
【００３５】
【数２】
2015019337.tif 000004
【００３６】
続いて、変換部３２は、ＤＧＤの最大値ＤＧＤｍａｘに基づき、閾値Ｑｔｈを算出する。例えば、変換部３２は、図４に示したような、ＤＧＤとＱ値とを対応付けたＤＧＤ／Ｑ値対応テーブルを保持する。図４は、ＤＧＤ／Ｑ値対応テーブルの一例を示す説明図である。変換部３２は、ＤＧＤの最大値ＤＧＤｍａｘに対応するＱ値をＤＧＤ／Ｑ値対応テーブルから読み出すことによって、閾値Ｑｔｈを算出する。なお、ＤＧＤ／Ｑ値対応テーブルは、伝送対象となるＷＤＭ光の信号種別に応じてシミュレーション等により予め作成される。このようにして、変換部３２は、取得部３１によって取得されたＳＬＡのうち可用性Ｐａを、ＷＤＭ光内の各チャネルが満たすべきＱ値の閾値Ｑｔｈに変換する。
【００３７】
決定部３３は、調整対象の光伝送装置２内の調整機能付きＷＳＳ２４で調整するＷＤＭ光内の各チャネルの光パワーに基づき、各チャネルのＱ値を算出する。そして、決定部３３は、算出したＱ値が閾値Ｑｔｈを満たすように、調整対象の光伝送装置２内の調整機能付きＷＳＳ２４の透過特性に設定する調整量を決定する。詳細には、決定部３３は、取得部３１によってＳＬＡとして取得された遅延が最も短い時間であることを示す「Ｐｒｅｍｉｕｍ」である場合に、算出したＱ値が閾値Ｑｔｈを満たすように、調整量を決定する。
【００３８】
ここで、本実施例における調整量を決定する処理の一例を説明する。まず、決定部３３は、各光伝送装置２との間で設定されたＯＳＣ（Optical  Supervisory  Channel）等の光監視チャネルを介して、ＷＤＭ光内の各チャネルの監視情報を取得する。監視情報は、調整対象の光伝送装置２内の調整機能付きＷＳＳ２４で調整するＷＤＭ光内の各チャネルの光パワーと、ＷＤＭ光内の各チャネルに対応する雑音係数とを含む。
【００３９】
続いて、決定部３３は、監視情報に含まれる、ＷＤＭ光内の各チャネルの光パワーと雑音係数とに基づき、下記の式（７）〜（９）を用いて、ＷＤＭ光内の各チャネルのＱ値を算出する。算出されたＱ値が、閾値Ｑｔｈに対する判定対象のＱ値となる。
【００４０】
【数３】
2015019337.tif 000005
【００４１】
【数４】
2015019337.tif 000006
【００４２】
【数５】
2015019337.tif 000007
【００４３】
続いて、決定部３３は、ＷＤＭ光内の各チャネルのＱ値、すなわち、判定対象のＱ値が閾値Ｑｔｈを満たすか否かを判定する。決定部３３は、判定対象のＱ値が閾値Ｑｔｈを満たす場合に、伝送品質が良好であると判定し、調整量の決定を行わない。一方、決定部３３は、判定対象のＱ値が閾値Ｑｔｈを満たさない場合に、伝送品質が良好でないと判定し、ＳＬＡとして取得された遅延が最も短い時間であることを示す「Ｐｒｅｍｉｕｍ」であるか否かを判定する。そして、決定部３３は、ＳＬＡとして取得された遅延が「Ｐｒｅｍｉｕｍ」である場合に、算出した判定対象のＱ値が閾値Ｑｔｈを満たすように、調整対象の光伝送装置２に設定すべき調整量を決定する。
【００４４】
図５は、実施例１における調整量を決定する処理の一例を示す説明図である。図５において、波長λｎｅｗに対応するチャネルが、ＳＬＡが新たに設定される新設チャネルであり、波長λ１〜λＮに対応するチャネルが、ＳＬＡが既に設定された既設チャネルであるものとする。また、図５（Ａ）は、調整対象の光伝送装置２に設定すべき調整量が未だ決定されていない状態を示すものとする。
【００４５】
決定部３３は、ＷＤＭ光内の各チャネルのＱ値のうち新設チャネルのＱ値が閾値Ｑｔｈを満たさない場合に、図５（Ｂ）に示すように、調整量を決定する。すなわち、決定部３３は、新設チャネルの光パワーを増加量ΔＰだけ増加させるとともに、既設チャネルの総数Ｎで増加量ΔＰを除算して得られる減少量ΔＰ／Ｎだけ既設チャネルの光パワーを減少させる仮調整量（以下「第一の調整量」という）を決定する。その結果、調整対象の光伝送装置２内の調整機能付きＷＳＳ２４の透過特性は、第一の調整量に基づき、ＷＤＭ光内の各チャネルのうち新設チャネルの減衰量が小さくなり、かつ、既設チャネルの減衰量が大きくなるように、変更される。
【００４６】
さらに、決定部３３は、第一の調整量を決定した後、既設チャネルのうち少なくとも１つのチャネルのＱ値が閾値Ｑｔｈを満たさない場合に、調整量を新たに決定する。すなわち、決定部３３は、閾値Ｑｔｈを満たさない既設チャネルの光パワーを減少量ΔＰ／Ｎだけ増加させ、かつ、該既設チャネルの総数を減少量ΔＰ／Ｎに乗算した量だけ新設チャネルの光パワーを減少させる仮調整量（以下「第二の調整量」という）を決定する。例えば、図５（Ａ）に示した波長λ１〜λＮに対応する複数の既設チャネルのうち、波長λ２，λ４に対応する２つの既設チャネルのＱ値が閾値Ｑｔｈを満たさない場合を想定する。この場合、決定部３３は、図５（Ｃ）に示すように、該２つの既設チャネルの光パワーを減少量ΔＰ／Ｎだけ増加させ、該２つの既設チャネルの総数「２」をΔＰ／Ｎに乗算して得られる量だけ新設チャネルの光パワーを減少させる第二の調整量を新たに決定する。
【００４７】
決定部３３は、第一の調整量及び第二の調整量等の仮調整量を決定した後、新設チャネル及び既設チャネルを含むＷＤＭ光内の全てのチャネルのＱ値が閾値Ｑｔｈを満たした場合には、伝送品質が改善されると判定する。そして、決定部３３は、調整対象の光伝送装置２に設定すべき調整量として仮調整量を決定する。そして、決定部３３は、決定した調整量をＬＡＮ等を経由して調整対象の光伝送装置２に設定する。
【００４８】
光伝送装置２内の制御部２６は、管理装置３からの調整量をＬＡＮ等を経由して受信した場合、調整量に基づき調整機能付きＷＳＳ２４の透過特性を調整する。調整機能付きＷＳＳ２４は、ＷＤＭ光内の各チャネルのＱ値が閾値Ｑｔｈを満たすように、ＷＤＭ光内の各チャネルの光パワーを調整し、調整したＷＤＭ光を出力する。その結果、ＷＤＭ光内の各チャネルを用いて提供されるサービスの品質が、ＷＤＭ光内のチャネル間で異なるＳＬＡを個別に満足することが可能となる。
【００４９】
次に、実施例１の光伝送システム１の動作を説明する。図６は、実施例１の光伝送システムの全体の処理の一例を示すフローチャートである。図６に示す全体の処理は、伝送対象のＷＤＭ光内の各チャネルのうち、ＳＬＡが新たに設定される新設チャネルの伝送品質が閾値Ｑｔｈを満たさない場合に、管理装置３側で調整対象の光伝送装置２に調整量を設定する処理である。
【００５０】
図６に示すように、光伝送システム１は、新設チャネルに新たに設定されるＳＬＡの取得等を含む準備処理を実行する（ステップＳ１０１）。続いて、光伝送システム１は、光伝送システム１の設計時に調整対象の光伝送装置２に調整量を設定する設計時信号調整処理を実行する（ステップＳ１０２）。続いて、光伝送システム１は、光伝送システム１の運用時に調整対象の光伝送装置２に調整量を設定する運用時信号調整処理を実行する（ステップＳ１０３）。以下では、準備処理、設計時信号調整処理及び運用時信号調整処理それぞれの詳細を順に説明する。
【００５１】
まず、図６のステップＳ１０１に示した準備処理の詳細を説明する。図７は、実施例１の光伝送システムの準備処理の一例を示すフローチャートである。図７に示す準備処理は、図６に示したステップＳ１０１に対応する。図７に示すように、管理装置３は、ネットワークデマンド情報を図示しないユーザインタフェース等の入力部から取得する（ステップＳ１１１）。ネットワークデマンド情報には、ユーザによって要求される光伝送装置２の組合せであって、かつ、ＷＤＭ光の送信元及び送信先となる一対の光伝送装置２の組合せの情報や、ＷＤＭ光の信号種別の情報等が含まれる。
【００５２】
管理装置３の取得部３１は、ユーザインタフェース等の入力部を用いて、可用性Ｐａと、遅延とをＳＬＡとして取得する（ステップＳ１１２）。例えば、取得部３１は、ネットワークデマンド情報内のＷＤＭ光の送信元及び送信先となる一対の光伝送装置２の組合せの情報と、ＷＤＭ光の信号種別の情報とに関連付けて、可用性Ｐａ及び遅延を取得する。遅延は、「Ｐｒｅｍｉｕｍ」、「Ｎｏｒｍａｌ」及び「Ｂｅｓｔ−ｅｆｆｏｒｔ」のいずれかである。
【００５３】
管理装置３は、ネットワークデマンド情報に基づき、ＳＬＡが新たに設定される新設チャネルに対応する光パスを生成する（ステップＳ１１３）。新設チャネルに対応する光パスを生成する処理の一例を図８に示す。図８の例では、ネットワークデマンド情報が、Ｓｉｔｅ１のＯＡＤＭである光伝送装置２をＷＤＭ光の送信元として指定し、Ｓｉｔｅ８のＯＡＤＭである光伝送装置２をＷＤＭ光の送信先として指定したものとする。この場合、管理装置３は、図８に示すように、Ｓｉｔｅ１のＯＡＤＭである光伝送装置２と、Ｓｉｔｅ８のＯＡＤＭである光伝送装置２とを結ぶ光パス＃１が生成される。光パス＃１には、２つのＯＡＤＭ区間が含まれる。２つのＯＡＤＭ区間のうち一方は、Ｓｉｔｅ１のＯＡＤＭである光伝送装置２から、Ｓｉｔｅ５のＯＡＤＭである光伝送装置２へ至る区間であり、他方は、Ｓｉｔｅ５のＯＡＤＭである光伝送装置２から、Ｓｉｔｅ８のＯＡＤＭである光伝送装置２へ至る区間である。
【００５４】
次に、図６のステップＳ１０２に示した設計時信号調整処理の詳細を説明する。図９は、実施例１の光伝送システムの設計時信号調整処理の一例を示すフローチャートである。図９に示す設計時信号調整処理は、図６に示したステップＳ１０２に対応する。図９に示すように、管理装置３の変換部３２は、ＳＬＡを閾値Ｑｔｈに変換するＳＬＡ／閾値変換処理を実行する（ステップＳ１２１）。
【００５５】
ここで、図１０を用いて、ステップＳ１２１のＳＬＡ／閾値変換処理の一例を説明する。図１０は、実施例１の光伝送システムのＳＬＡ／閾値変換処理の一例を示すフローチャートである。
【００５６】
図１０に示すように、管理装置３の変換部３２は、ＳＬＡのうち可用性Ｐａに基づき、ＷＤＭ光内の各チャネルに対応する光パスごとの伝送断率Ｐｏを算出する（ステップＳ１３１）。変換部３２は、伝送断率Ｐｏに基づき、ＤＧＤの最大値ＤＧＤｍａｘを算出する（ステップＳ１３２）。変換部３２は、ＤＧＤの最大値ＤＧＤｍａｘに対応するＱ値をＤＧＤ／Ｑ値対応テーブルから読み出すことによって、閾値Ｑｔｈを算出する（ステップＳ１３３）。ＤＧＤ／Ｑ値対応テーブルは、伝送対象となるＷＤＭ光の信号種別に応じて異なるテーブルが用いられる。
【００５７】
図９の説明に戻る。管理装置３の決定部３３は、ＳＬＡ／閾値変換処理によって得られた閾値Ｑｔｈを用いて伝送品質を判定する伝送品質判定処理を実行する（ステップＳ１２２）。
【００５８】
ここで、図１１を用いて、ステップＳ１２２の伝送品質判定処理の一例を説明する。図１１は、実施例１の光伝送システムの伝送品質判定処理の一例を示すフローチャートである。
【００５９】
図１１に示すように、管理装置３の決定部３３は、ＯＳＣ等の光監視チャネルを介して、ＷＤＭ光内の各チャネルの光パワー等の監視情報を取得する（ステップＳ１４１）。決定部３３は、監視情報に含まれる、ＷＤＭ光内の各チャネルの光パワーと雑音係数とに基づき、ＷＤＭ光内の各チャネルのＱ値、すなわち、判定対象のＱ値を算出する（ステップＳ１４２）。
【００６０】
決定部３３は、判定対象のＱ値が閾値Ｑｔｈを満たすか否かを判定する（ステップＳ１４３）。決定部３３は、判定対象のＱ値が閾値Ｑｔｈを満たす場合に（ステップＳ１４３；Ｙｅｓ）、伝送品質が良好であると判定する（ステップＳ１４４）。一方、決定部３３は、判定対象のＱ値が閾値Ｑｔｈを満たさない場合に（ステップＳ１４３；Ｎｏ）、伝送品質が良好でないと判定する（ステップＳ１４５）。
【００６１】
図９の説明に戻る。決定部３３は、伝送品質が良好である場合には（ステップＳ１２３；Ｙｅｓ）、調整量の決定を行うことなく、処理をステップＳ１２９に移行する。
【００６２】
一方、決定部３３は、伝送品質が良好でない場合には（ステップＳ１２３；Ｎｏ）、ＳＬＡとして取得された遅延が「Ｐｒｅｍｉｕｍ」であるか否かを判定する（ステップＳ１２４）。
【００６３】
決定部３３は、ＳＬＡとして取得された遅延が「Ｐｒｅｍｉｕｍ」でない場合には（ステップＳ１２４；Ｎｏ）、新設チャネルの光パス上に再生中継器（ＲＥＧ：REGenarator）を配置することによって、新設チャネルの光パスを分割する（ステップＳ１２５）。ＲＥＧの配置手法としては、例えば、距離二等分法やスパン数二等分法等の既存の手法が用いられる。
【００６４】
一方、決定部３３は、ＳＬＡとして取得された遅延が「Ｐｒｅｍｉｕｍ」である場合には（ステップＳ１２４；Ｙｅｓ）、伝送品質判定処理で算出した判定対象のＱ値が閾値Ｑｔｈを満たすように、調整量を決定する調整量決定処理を実行する（ステップＳ１２６）。
【００６５】
ここで、図１２を用いて、ステップＳ１２６の調整量決定処理の一例を説明する。図１２は、実施例１の光伝送システムの調整量決定処理の一例を示すフローチャートである。
【００６６】
図１２に示すように、管理装置３の決定部３３は、伝送品質判定処理を実行する（ステップＳ１５１）。ステップＳ１５１の伝送品質判定処理は、図１１を用いて既に説明した伝送品質判定処理に対応するので、ここでは、その詳細な説明を省略する。
【００６７】
決定部３３は、ＷＤＭ光内の各チャネルのＱ値のうち新設チャネルのＱ値が閾値Ｑｔｈを満たす場合、すなわち、新設チャネルの伝送品質が良好である場合には（ステップＳ１５２；Ｙｅｓ）、処理をステップＳ１６３に移行する。
【００６８】
一方、決定部３３は、ＷＤＭ光内の各チャネルのＱ値のうち新設チャネルのＱ値が閾値Ｑｔｈを満たさない場合、すなわち、新設チャネルの伝送品質が良好でない場合（ステップＳ１５２；Ｎｏ）、以下の処理を行う。すなわち、決定部３３は、新設チャネルの光パワーを増加量ΔＰだけ増加させる仮調整量を決定する（ステップＳ１５３）。
【００６９】
決定部３３は、増加量ΔＰの累積値が予め定められた上限値を超過する場合には（ステップＳ１５４；Ｎｏ）、調整量の増加によって伝送品質が改善されないと判定し（ステップＳ１５５）、処理を終了する。
【００７０】
一方、決定部３３は、増加量ΔＰの累積値が予め定められた上限値以下である場合には（ステップＳ１５４；Ｙｅｓ）、既設チャネルの光パワーを減少量ΔＰ／Ｎだけ減少させる仮調整量を決定する（ステップＳ１５６）。すなわち、決定部３３は、新設チャネルの光パワーを増加量ΔＰだけ増加させるとともに、減少量ΔＰ／Ｎだけ既設チャネルの光パワーを減少させる第一の調整量を決定する。
【００７１】
決定部３３は、伝送品質判定処理を実行する（ステップＳ１５７）。ステップＳ１５７の伝送品質判定処理は、図１１を用いて既に説明した伝送品質判定処理に対応するので、ここでは、その詳細な説明を省略する。
【００７２】
決定部３３は、ＷＤＭ光内の各チャネルのＱ値のうち既設チャネルのＱ値が閾値Ｑｔｈを満たす場合、すなわち、既設チャネルの伝送品質が良好である場合（ステップＳ１５８；Ｙｅｓ）、処理をステップＳ１６２に移行する。
【００７３】
一方、決定部３３は、既設チャネルの伝送品質が良好でない場合（ステップＳ１５８；Ｎｏ）、既設チャネルのＳＬＡとして取得された遅延が「Ｂｅｓｔ−ｅｆｆｏｒｔ」であるか否かを判定する（ステップＳ１５９）。
【００７４】
決定部３３は、既設チャネルのＳＬＡとして取得された遅延が「Ｂｅｓｔ−ｅｆｆｏｒｔ」である場合（ステップＳ１５９；Ｙｅｓ）、既設チャネルの光パス上にＲＥＧを配置することによって、既設チャネルの光パスを分割する（ステップＳ１６０）。
【００７５】
一方、決定部３３は、既設チャネルのＳＬＡとして取得された遅延が「Ｂｅｓｔ−ｅｆｆｏｒｔ」でない場合（ステップＳ１５９；Ｎｏ）、以下の処理を行う。すなわち、決定部３３は、既設チャネルのうち閾値Ｑｔｈを満たさない既設チャネルの光パワーを減少量ΔＰ／Ｎだけ増加させる仮調整量を新たに決定する（ステップＳ１６１）。
【００７６】
決定部３３は、光パワーが増加した既設チャネルの総数ｍを減少量ΔＰ／Ｎに乗算した量（ΔＰ／Ｎ）×ｍだけ新設チャネルの光パワーを減少させる仮調整量を新たに決定し（ステップＳ１６２）、処理をステップＳ１５１に戻す。すなわち、決定部３３は、第一の調整量を決定した後、閾値Ｑｔｈを満たさない既設チャネルの光パワーを減少量ΔＰ／Ｎだけ増加させ、かつ、該既設チャネルの総数を減少量ΔＰ／Ｎに乗算した量だけ新設チャネルの光パワーを減少させる第二の調整量を決定する。
【００７７】
ステップＳ１６３において、決定部３３は、新設チャネルの伝送品質が良好であるので、伝送品質が改善されると判定する（ステップＳ１６３）。そして、決定部３３は、調整対象の光伝送装置２に設定すべき調整量として、第一の調整量及び第二の調整量等の仮調整量を決定する（ステップＳ１６４）。そして、決定部３３は、決定した調整量をＬＡＮ等を経由して調整対象の光伝送装置２に設定する（ステップＳ１６５）。
【００７８】
図９の説明に戻る。決定部３３は、調整量決定処理によって伝送品質が改善されない場合（ステップＳ１２７；Ｎｏ）、処理をステップＳ１２５に移行する。
【００７９】
一方、決定部３３は、調整量決定処理によって伝送品質が改善される場合（ステップＳ１２７；Ｙｅｓ）、調整量を設計結果として内部メモリ等に記録する（ステップＳ１２８）。
【００８０】
その後、決定部３３は、新設チャネルの光パスが増加した場合（ステップＳ１２９；Ｙｅｓ）、処理をステップＳ１２１に戻し、新設チャネルの光パスが増加していない場合（ステップＳ１２９；Ｎｏ）、処理をステップＳ１３０に移行する。
【００８１】
調整対象の光伝送装置２の制御部２６は、管理装置３から設定される調整量に基づき、調整機能付きＷＳＳ２４の透過特性を調整し（ステップＳ１３０）、設計時信号調整処理を終了する。その結果、調整機能付きＷＳＳ２４は、ＷＤＭ光内の各チャネルのＱ値が閾値Ｑｔｈを満たすように、ＷＤＭ光内の各チャネルの光パワーを調整し、調整したＷＤＭ光を出力する。
【００８２】
次に、図６のステップＳ１０３に示した運用時信号調整処理の詳細を説明する。図１３は、実施例１の光伝送システムの運用時信号調整処理の一例を示すフローチャートである。
【００８３】
図１３に示すように、設計時信号調整処理が完了すると（ステップＳ１７１；Ｙｅｓ）、調整対象の光伝送装置２の制御部２６は、管理装置３から設定される調整量に基づき、調整機能付きＷＳＳ２４の透過特性を継続的に調整する（ステップＳ１７２）。
【００８４】
管理装置３の決定部３３は、伝送品質判定処理を実行する（ステップＳ１７３）。ステップＳ１７３の伝送品質判定処理は、図１１を用いて既に説明した伝送品質判定処理に対応するので、ここでは、その詳細な説明を省略する。
【００８５】
決定部３３は、ＷＤＭ光内の各チャネルのＱ値のうち新設チャネルのＱ値が閾値Ｑｔｈを満たす場合、すなわち、新設チャネルの伝送品質が良好である場合には（ステップＳ１７４；Ｙｅｓ）、処理をステップＳ１８４に移行する。
【００８６】
一方、決定部３３は、ＷＤＭ光内の各チャネルのＱ値のうち新設チャネルのＱ値が閾値Ｑｔｈを満たさない場合、すなわち、新設チャネルの伝送品質が良好でない場合（ステップＳ１７４；Ｎｏ）、以下の処理を行う。すなわち、決定部３３は、新設チャネルの光パワーを増加量ΔＰだけ増加させる仮調整量を決定する（ステップＳ１７５）。
【００８７】
決定部３３は、増加量ΔＰの累積値が予め定められた上限値を超過する場合には（ステップＳ１７６；Ｎｏ）、運用時信号調整処理を終了する。
【００８８】
一方、決定部３３は、増加量ΔＰの累積値が予め定められた上限値以下である場合には（ステップＳ１７６；Ｙｅｓ）、既設チャネルの光パワーを減少量ΔＰ／Ｎだけ減少させる仮調整量を決定する（ステップＳ１７７）。すなわち、決定部３３は、新設チャネルの光パワーを増加量ΔＰだけ増加させるとともに、減少量ΔＰ／Ｎだけ既設チャネルの光パワーを減少させる第一の調整量を決定する。
【００８９】
決定部３３は、伝送品質判定処理を実行する（ステップＳ１７８）。ステップＳ１７８の伝送品質判定処理は、図１１を用いて既に説明した伝送品質判定処理に対応するので、ここでは、その詳細な説明を省略する。
【００９０】
決定部３３は、ＷＤＭ光内の各チャネルのＱ値のうち既設チャネルのＱ値が閾値Ｑｔｈを満たす場合、すなわち、既設チャネルの伝送品質が良好である場合（ステップＳ１７９；Ｙｅｓ）、処理をステップＳ１８３に移行する。
【００９１】
一方、決定部３３は、既設チャネルの伝送品質が良好でない場合（ステップＳ１７９；Ｎｏ）、既設チャネルのＳＬＡとして取得された遅延が「Ｂｅｓｔ−ｅｆｆｏｒｔ」であるか否かを判定する（ステップＳ１８０）。
【００９２】
決定部３３は、既設チャネルのＳＬＡとして取得された遅延が「Ｂｅｓｔ−ｅｆｆｏｒｔ」である場合（ステップＳ１８０；Ｙｅｓ）、既設チャネルの光パス上にＲＥＧを配置することによって、既設チャネルの光パスを分割する（ステップＳ１８１）。
【００９３】
一方、決定部３３は、既設チャネルのＳＬＡとして取得された遅延が「Ｂｅｓｔ−ｅｆｆｏｒｔ」でない場合（ステップＳ１８０；Ｎｏ）、以下の処理を行う。すなわち、決定部３３は、既設チャネルのうち閾値Ｑｔｈを満たさない既設チャネルの光パワーを減少量ΔＰ／Ｎだけ増加させる仮調整量を新たに決定する（ステップＳ１８２）。
【００９４】
決定部３３は、光パワーが増加した既設チャネルの総数ｍを減少量ΔＰ／Ｎに乗算した量（ΔＰ／Ｎ）×ｍだけ新設チャネルの光パワーを減少させる仮調整量を新たに決定し（ステップＳ１８３）、処理をステップＳ１７３に戻す。すなわち、決定部３３は、第一の調整量を決定した後、閾値Ｑｔｈを満たさない既設チャネルの光パワーを減少量ΔＰ／Ｎだけ増加させ、かつ、該既設チャネルの総数を減少量ΔＰ／Ｎに乗算した量だけ新設チャネルの光パワーを減少させる第二の調整量を決定する。
【００９５】
ステップＳ１８４において、決定部３３は、調整対象の光伝送装置２に設定すべき調整量として、第一の調整量及び第二の調整量等の仮調整量を決定する（ステップＳ１８４）。そして、決定部３３は、決定した調整量をＬＡＮ等を経由して調整対象の光伝送装置２に設定する（ステップＳ１８５）。
【００９６】
上述したように、実施例１では、管理装置３側でＳＬＡをＷＤＭ光内の各チャネルが満たすべきＱ値の閾値Ｑｔｈに変換し、各チャネルのＱ値が閾値Ｑｔｈを満たすように、調整対象の光伝送装置２の調整機能付きＷＳＳ２４の透過特性に設定する調整量を決定する。このため、調整対象の光伝送装置２の調整機能付きＷＳＳ２４は、ＷＤＭ光内の各チャネルのＱ値が閾値Ｑｔｈを満たすように、ＷＤＭ光内の各チャネルの光パワーを調整し、調整したＷＤＭ光を出力することができる。その結果、実施例１によれば、ＳＬＡに応じてＷＤＭ光内の各チャネルの伝送品質を自律的に調整することができる。
【００９７】
また、実施例１の管理装置３は、ＳＬＡとして取得された可用性Ｐａを閾値Ｑｔｈに変換し、ＳＬＡとして取得された遅延が最も短い時間を示す場合に、ＷＤＭ光内の各チャネルのＱ値が閾値Ｑｔｈを満たすように、調整量を決定する。その結果、実施例１によれば、ＳＬＡに含まれる複数の評価値のうち可用性Ｐａ及び遅延に応じてＷＤＭ光内の各チャネルの伝送品質を自律的に調整することができる。
【００９８】
また、実施例１の管理装置３は、ＳＬＡが新たに設定される新設チャネルのＱ値が閾値Ｑｔｈを満たさない場合に、新設チャネルの光パワーを増加させ、かつ、既設チャネルの光パワーを減少させる第一の調整量を調整量として決定する。その結果、実施例１によれば、既設チャネルの光パワーを均等に減少させるとともに、ＷＤＭ光内の新設チャネルの伝送品質を改善させることができる。
【００９９】
また、実施例１の管理装置３は、第一の調整量を決定した後、既設チャネルのＱ値が閾値Ｑｔｈを満たさない場合に、既設チャネルの光パワーを増加させ、かつ、新設チャネルの光パワーを減少させる第二の調整量を調整量として新たに決定する。その結果、実施例１によれば、ＷＤＭ光内の既設チャネルの伝送品質をＳＬＡを満足可能なレベルに保持しつつ、ＷＤＭ光内の新設チャネルの伝送品質を改善させることができる。
【０１００】
ここで、実施例１におけるＷＤＭ光内の各チャネルの伝送品質の調整例を説明する。図１４は、実施例１におけるＷＤＭ光内の各チャネルの伝送品質の調整例を示す説明図である。図１４に示す調整例では、チャネル７（ｃｈ７）がＳＬＡが新たに設定される新設チャネルであり、チャネル１〜６（ｃｈ１〜６）がＳＬＡが既に設定された既設チャネルであるものとする。チャネル７には、可用性：９９．９９９９％、遅延：ＰｒｅｍｉｕｍがＳＬＡとして設定された。管理装置３によってＳＬＡを閾値Ｑｔｈに変換した結果、ｃｈ７の閾値Ｑｔｈは、１０．３ｄＢとなった。また、ＷＤＭ光内の各チャネルのＱ値は、初期状態において、ｃｈ１：１４．５ｄＢ、ｃｈ３，５，６：１１．１ｄＢ、ｃｈ２，４：９．８５ｄＢ、ｃｈ７：９．５５ｄＢとなった。
【０１０１】
図１４に示す初期状態では、ＷＤＭ光内のｃｈ７のＱ値９．５５ｄＢが、ｃｈ７の閾値Ｑｔｈ：１０．３ｄＢを満たさなかった。そこで、管理装置３は、新設チャネルであるｃｈ７の光パワーを０．５ｄＢずつ３回増加させ、かつ、既設チャネルであるｃｈ１〜６の光パワーを減少させる調整量を調整対象の光伝送装置２の調整機能付きＷＳＳ２４の透過特性に設定した。このとき、ｃｈ２，４の光パワーは、Ｑ値が閾値以下とならないように、保持された。このため、ＷＤＭ光内のｃｈ７のＱ値が、９．５５ｄＢからｃｈ７の閾値Ｑｔｈ：１０．３ｄＢに到達した。その結果、ＷＤＭ光内の新設チャネルであるｃｈ７の伝送品質を改善することができた。
【実施例２】
【０１０２】
上記実施例１では、ＳＬＡが新たに設定される新設チャネルのＱ値が閾値Ｑｔｈを満たさない場合に、新設チャネルの光パワーを増加させ、かつ、既設チャネルの光パワーを均等に減少させる調整量を決定する例を示した。しかしながら、ＳＬＡが新たに設定される新設チャネルのＱ値が閾値Ｑｔｈを満たさない場合に、閾値Ｑｔｈとの間の伝送品質差が最も大きい既設チャネルの光パワーを減少させる調整量を決定するようにしても良い。そこで、実施例２では、ＳＬＡが新たに設定される新設チャネルのＱ値が閾値Ｑｔｈを満たさない場合に、閾値Ｑｔｈとの間の伝送品質差が最も大きい既設チャネルの光パワーを減少させる調整量を決定する例について説明する。
【０１０３】
図１５は、実施例２の光伝送システム内の光伝送装置及び管理装置の構成例を示す説明図である。なお、上記実施例１の光伝送システム１と同一の構成には同一符号を付すことで、その重複する構成及び動作の説明については省略する。図１５に示す管理装置３ａは、図２に示した決定部３３に代えて、決定部３３ａを有する。
【０１０４】
決定部３３ａは、調整対象の光伝送装置２内の調整機能付きＷＳＳ２４で調整するＷＤＭ光内の各チャネルの光パワーに基づき、各チャネルのＱ値を算出する。そして、決定部３３ａは、算出したＱ値が閾値Ｑｔｈを満たすように、調整対象の光伝送装置２内の調整機能付きＷＳＳ２４の透過特性に設定する調整量を決定する。詳細には、決定部３３ａは、取得部３１によってＳＬＡとして取得された遅延が最も短い時間であることを示す「Ｐｒｅｍｉｕｍ」である場合に、算出したＱ値が閾値Ｑｔｈを満たすように、調整量を決定する。
【０１０５】
ここで、本実施例における調整量を決定する処理の一例を説明する。まず、決定部３３ａは、各光伝送装置２との間で設定されたＯＳＣ（Optical  Supervisory  Channel）等の光監視チャネルを介して、ＷＤＭ光内の各チャネルの監視情報を取得する。監視情報は、調整対象の光伝送装置２内の調整機能付きＷＳＳ２４で調整するＷＤＭ光内の各チャネルの光パワーと、ＷＤＭ光内の各チャネルに対応する雑音係数とを含む。
【０１０６】
続いて、決定部３３ａは、監視情報に含まれる、ＷＤＭ光内の各チャネルの光パワーと雑音係数とに基づき、上記の式（７）〜（９）を用いて、ＷＤＭ光内の各チャネルのＱ値を算出する。算出されたＱ値が、閾値Ｑｔｈに対する判定対象のＱ値となる。
【０１０７】
続いて、決定部３３ａは、ＷＤＭ光内の各チャネルのＱ値、すなわち、判定対象のＱ値が閾値Ｑｔｈを満たすか否かを判定する。決定部３３ａは、判定対象のＱ値が閾値Ｑｔｈを満たす場合に、伝送品質が良好であると判定し、調整量の決定を行わない。一方、決定部３３ａは、判定対象のＱ値が閾値Ｑｔｈを満たさない場合に、伝送品質が良好でないと判定し、ＳＬＡとして取得された遅延が最も短い時間であることを示す「Ｐｒｅｍｉｕｍ」であるか否かを判定する。そして、決定部３３ａは、ＳＬＡとして取得された遅延が「Ｐｒｅｍｉｕｍ」である場合に、算出した判定対象のＱ値が閾値Ｑｔｈを満たすように、調整対象の光伝送装置２に設定すべき調整量を決定する。
【０１０８】
図１６は、実施例２における調整量を決定する処理の一例を示す説明図である。図１６において、波長λｎｅｗに対応するチャネルが、ＳＬＡが新たに設定される新設チャネルであり、波長λ１〜λＮに対応するチャネルが、ＳＬＡが既に設定された既設チャネルであるものとする。また、図１６（Ａ）は、調整対象の光伝送装置２に設定すべき調整量が未だ決定されていない状態を示すものとする。
【０１０９】
決定部３３ａは、ＷＤＭ光内の各チャネルのＱ値のうち新設チャネルのＱ値が閾値Ｑｔｈを満たさない場合に、以下のように調整量を決定する。すなわち、決定部３３ａは、既設チャネルの中から、自チャネルのＱ値と閾値Ｑｔｈとの差ΔＱが最も大きい既設チャネルを減衰対象チャネルとして選択する。そして、決定部３３ａは、新設チャネルの光パワーを増加量ΔＰだけ増加させるとともに、減衰対象チャネルの光パワーを増加量ΔＰだけ減少させる仮調整量（以下「第一の調整量」）を決定する。例えば、図１６（Ａ）に示した波長λ１〜λＮに対応する複数の既設チャネルのうち、波長λ１に対応する既設チャネルのＱ値と閾値Ｑｔｈとの差が最も大きい場合を想定する。この場合、決定部３３は、図１６（Ｂ）に示すように、新設チャネルの光パワーを増加量ΔＰだけ増加させるとともに、波長λ１に対応する既設チャネルの光パワーを増加量ΔＰだけ減少させる第一の調整量を決定する。その結果、調整対象の光伝送装置２内の調整機能付きＷＳＳ２４の透過特性は、第一の調整量に基づき、新設チャネルの減衰量が小さくなり、かつ、閾値Ｑｔｈとの間の伝送品質差が最も大きい既設チャネルの減衰量が大きくなるように、変更される。
【０１１０】
さらに、決定部３３ａは、第一の調整量を決定した後、減衰対象チャネルのＱ値が閾値Ｑｔｈを満たさない場合に、差ΔＱが最も大きい既設チャネルに替えて、差ΔＱが２番目に大きい既設チャネルを減衰対象チャネルとして新たに選択する。そして、決定部３３ａは、新たに選択した減衰対象チャネルの光パワーを増加量ΔＰだけ減少させる仮調整量（以下「第二の調整量」）を新たに決定する。例えば、図１６（Ｂ）に示した波長λ１に対応する既設チャネルが減衰対象チャネルとして選択され、かつ、減衰対象チャネルのＱ値が閾値Ｑｔｈを満たさない場合を想定する。さらに、図１６（Ｂ）に示した波長λ２に対応する既設チャネルのＱ値と閾値Ｑｔｈとの差が２番目に大きいものとする。この場合、決定部３３ａは、図１６（Ｃ）に示すように、波長λ２に対応する既設チャネルの光パワーを増加量ΔＰだけ減少させる第二の調整量を決定する。
【０１１１】
決定部３３ａは、第一の調整量及び第二の調整量等の仮調整量を決定した後、新設チャネル及び既設チャネルを含むＷＤＭ光内の全てのチャネルのＱ値が閾値Ｑｔｈを満たした場合には、伝送品質が改善されると判定する。そして、決定部３３ａは、調整対象の光伝送装置２に設定すべき調整量として仮調整量を決定する。そして、決定部３３ａは、決定した調整量をＬＡＮ等を経由して調整対象の光伝送装置２に設定する。
【０１１２】
光伝送装置２内の制御部２６は、管理装置３ａからの調整量をＬＡＮ等を経由して受信した場合、調整量に基づき調整機能付きＷＳＳ２４の透過特性を調整する。調整機能付きＷＳＳ２４は、ＷＤＭ光内の各チャネルのＱ値が閾値Ｑｔｈを満たすように、ＷＤＭ光内の各チャネルの光パワーを調整し、調整したＷＤＭ光を出力する。その結果、ＷＤＭ光内の各チャネルを用いて提供されるサービスの品質が、ＷＤＭ光内のチャネル間で異なるＳＬＡを個別に満足することが可能となる。
【０１１３】
次に、実施例２の光伝送システム１の動作を説明する。図１７は、実施例２の光伝送システムの調整量決定処理の一例を示すフローチャートである。なお、図１７に示した調整量決定処理は、図９のステップＳ１２６に示した調整量決定処理に対応する。
【０１１４】
図１７に示すように、管理装置３ａの決定部３３ａは、伝送品質判定処理を実行する（ステップＳ２５１）。ステップＳ２５１の伝送品質判定処理は、図１１を用いて既に説明した伝送品質判定処理に対応するので、ここでは、その詳細な説明を省略する。
【０１１５】
決定部３３ａは、ＷＤＭ光内の各チャネルのＱ値のうち新設チャネルのＱ値が閾値Ｑｔｈを満たす場合、すなわち、新設チャネルの伝送品質が良好である場合には（ステップＳ２５２；Ｙｅｓ）、処理をステップＳ２６３に移行する。
【０１１６】
一方、決定部３３ａは、ＷＤＭ光内の各チャネルのＱ値のうち新設チャネルのＱ値が閾値Ｑｔｈを満たさない場合、すなわち、新設チャネルの伝送品質が良好でない場合（ステップＳ２５２；Ｎｏ）、以下の処理を行う。すなわち、決定部３３ａは、新設チャネルの光パワーを増加量ΔＰだけ増加させる仮調整量を決定する（ステップＳ２５３）。
【０１１７】
決定部３３ａは、増加量ΔＰの累積値が予め定められた上限値を超過する場合には（ステップＳ２５４；Ｎｏ）、調整量の増加によって伝送品質が改善されないと判定し（ステップＳ２５５）、処理を終了する。
【０１１８】
一方、決定部３３ａは、増加量ΔＰの累積値が所定の上限値以下である場合には（ステップＳ２５４；Ｙｅｓ）、既設チャネルの中から自チャネルのＱ値と閾値Ｑｔｈとの差ΔＱが最も大きい既設チャネルを減衰対象チャネルとして選択する（ステップＳ２５６）。そして、決定部３３ａは、新設チャネルの光パワーを増加量ΔＰだけ増加させるとともに、減衰対象チャネルの光パワーを増加量ΔＰだけ減少させる仮調整量を決定する（ステップＳ２５７）。すなわち、決定部３３ａは、新設チャネルの光パワーを増加量ΔＰだけ増加させるとともに、減衰対象チャネルの光パワーを増加量ΔＰだけ減少させる第一の調整量を決定する。
【０１１９】
決定部３３ａは、伝送品質判定処理を実行する（ステップＳ２５８）。ステップＳ２５８の伝送品質判定処理は、図１１を用いて既に説明した伝送品質判定処理に対応するので、ここでは、その詳細な説明を省略する。
【０１２０】
決定部３３ａは、ＷＤＭ光内の各チャネルのＱ値のうち既設チャネルのＱ値が閾値Ｑｔｈを満たす場合、すなわち、既設チャネルの伝送品質が良好である場合（ステップＳ２５９；Ｙｅｓ）、処理をステップＳ２５１に移行する。
【０１２１】
一方、決定部３３ａは、ＷＤＭ光内の各チャネルのＱ値のうち既設チャネルのＱ値が閾値Ｑｔｈを満たさない場合（ステップＳ２５９；Ｎｏ）、既設チャネルのＳＬＡとして取得された遅延が「Ｂｅｓｔ−ｅｆｆｏｒｔ」であるか否かを判定する（ステップＳ２６０）。
【０１２２】
決定部３３ａは、既設チャネルのＳＬＡとして取得された遅延が「Ｂｅｓｔ−ｅｆｆｏｒｔ」である場合（ステップＳ２６０；Ｙｅｓ）、既設チャネルの光パス上にＲＥＧを配置することによって、既設チャネルの光パスを分割する（ステップＳ２６１）。
【０１２３】
一方、決定部３３ａは、既設チャネルのＳＬＡとして取得された遅延が「Ｂｅｓｔ−ｅｆｆｏｒｔ」でない場合（ステップＳ２６０；Ｎｏ）、以下の処理を行う。すなわち、決定部３３ａは、差ΔＱが最も大きい既設チャネルに替えて、差ΔＱが２番目に大きい既設チャネルを減衰対象チャネルとして新たに選択し（ステップＳ２６２）、処理をステップＳ２５７に戻す。そして、決定部３３ａは、ステップＳ２５７において、減衰対象チャネルの光パワーを増加量ΔＰだけ減少させる第二の調整量を新たに決定する。
【０１２４】
ステップＳ２６３において、決定部３３ａは、新設チャネルの伝送品質が良好であるので、伝送品質が改善されると判定する（ステップＳ２６３）。そして、決定部３３ａは、調整対象の光伝送装置２に設定すべき調整量として、第一の調整量及び第二の調整量等の仮調整量を決定する（ステップＳ２６４）。そして、決定部３３ａは、決定した調整量をＬＡＮ等を経由して調整対象の光伝送装置２に設定する（ステップＳ２６５）。
【０１２５】
上述したように、実施例２の管理装置３ａは、ＳＬＡが新たに設定される新設チャネルのＱ値が閾値Ｑｔｈを満たさない場合に、新設チャネルの光パワーを増加させ、かつ、既設チャネルの光パワーを減少させる第一の調整量を調整量として決定する。その結果、実施例２によれば、既設チャネルの光パワーを均等に減少させるとともに、ＷＤＭ光内の新設チャネルの伝送品質を改善させることができる。
【０１２６】
また、実施例２の管理装置３ａは、第一の調整量を決定した後、既設チャネルのＱ値が閾値Ｑｔｈを満たさない場合に、既設チャネルの光パワーを増加させ、かつ、閾値Ｑｔｈとの間の伝送品質差が最も大きい既設チャネルの光パワーを減少させる調整量を決定する。その結果、実施例１によれば、閾値Ｑｔｈとの間の伝送品質差が最も大きい既設チャネルの光パワーを減少させるとともに、ＷＤＭ光内の新設チャネルの伝送品質を改善させることができる。
【実施例３】
【０１２７】
上記実施例１では、ＷＤＭ光内の各チャネルのうち、ＳＬＡが新たに設定される新設チャネルの伝送品質が閾値Ｑｔｈを満たさない場合に、管理装置３側で調整対象の光伝送装置２に調整量を設定する例を示した。しかしながら、ＷＤＭ光内の各チャネルのうち、ＳＬＡが変更される既設チャネルの伝送品質が閾値Ｑｔｈを満たさない場合に、管理装置３側で調整対象の光伝送装置２に調整量を設定するようにしても良い。そこで、ＷＤＭ光内の各チャネルのうち、ＳＬＡが変更される既設チャネルの伝送品質が閾値Ｑｔｈを満たさない場合に、管理装置３側で調整対象の光伝送装置２に調整量を設定する例について説明する。なお、実施例３の光伝送システム内の光伝送装置及び管理装置の構成例は、図２に示した構成例と同様であるので、ここでは、その詳細な説明を省略する。
【０１２８】
図１８は、実施例３の光伝送システムの全体の処理の一例を示すフローチャートである。図１８に示す全体の処理は、ＷＤＭ光内の各チャネルのうち、ＳＬＡが変更される既設チャネルの伝送品質が閾値Ｑｔｈを満たさない場合に、管理装置３側で調整対象の光伝送装置２に調整量を設定する処理である。
【０１２９】
図１８に示すように、光伝送システム１は、既設チャネルのＳＬＡのうち変更されるＳＬＡの取得等を含む準備処理を実行する（ステップＳ３０１）。続いて、光伝送システム１は、光伝送システム１の設計時に調整対象の光伝送装置２に調整量を設定する設計時信号調整処理を実行する（ステップＳ３０２）。続いて、光伝送システム１は、光伝送システム１の運用時に調整対象の光伝送装置２に調整量を設定する運用時信号調整処理を実行する（ステップＳ３０３）。以下では、準備処理、設計時信号調整処理及び運用時信号調整処理それぞれの詳細を順に説明する。
【０１３０】
まず、図１８のステップＳ３０１に示した準備処理の詳細を説明する。図１９は、実施例３の光伝送システムの準備処理の一例を示すフローチャートである。図１９に示す準備処理は、図１８に示したステップＳ３０１に対応する。図１９に示すように、管理装置３の取得部３１は、ユーザインタフェース等の入力部を用いて、可用性Ｐａと、遅延とをＳＬＡとして取得する（ステップＳ３１１）。例えば、取得部３１は、ネットワークデマンド情報内のＷＤＭ光の送信元及び送信先となる一対の光伝送装置２の組合せの情報と、ＷＤＭ光の信号種別の情報とに関連付けて、可用性Ｐａ及び遅延を取得する。遅延は、「Ｐｒｅｍｉｕｍ」、「Ｎｏｒｍａｌ」及び「Ｂｅｓｔ−ｅｆｆｏｒｔ」のいずれかである。
【０１３１】
管理装置３は、ネットワークデマンド情報に基づき、ＳＬＡが変更される既設チャネル（以下「ＳＬＡ変更対象チャネル」という）に対応する光パスを生成する（ステップＳ３１２）。
【０１３２】
次に、図１８のステップＳ３０２に示した設計時信号調整処理の詳細を説明する。図２０は、実施例３の光伝送システムの設計時信号調整処理の一例を示すフローチャートである。図２０に示す設計時信号調整処理は、図１８に示したステップＳ３０２に対応する。図２０に示すように、管理装置３の変換部３２は、ＳＬＡを閾値Ｑｔｈに変換するＳＬＡ／閾値変換処理を実行する（ステップＳ３２１）。ステップＳ３２１のＳＬＡ／閾値変換処理は、図１０を用いて既に説明したＳＬＡ／閾値変換処理に対応するので、ここでは、その詳細な説明を省略する。
【０１３３】
管理装置３の決定部３３は、ＳＬＡ／閾値変換処理によって得られた閾値Ｑｔｈを用いて伝送品質を判定する伝送品質判定処理を実行する（ステップＳ３２２）。ステップＳ３２２の伝送品質判定処理は、図１１を用いて既に説明した伝送品質判定処理に対応するので、ここでは、その詳細な説明を省略する。
【０１３４】
決定部３３は、伝送品質が良好である場合には（ステップＳ３２３；Ｙｅｓ）、調整量の決定を行うことなく、処理をステップＳ３２９に移行する。
【０１３５】
一方、決定部３３は、伝送品質が良好でない場合には（ステップＳ３２３；Ｎｏ）、ＳＬＡとして取得された遅延が「Ｐｒｅｍｉｕｍ」であるか否かを判定する（ステップＳ３２４）。
【０１３６】
決定部３３は、ＳＬＡとして取得された遅延が「Ｐｒｅｍｉｕｍ」でない場合には（ステップＳ３２４；Ｎｏ）、新設チャネルの光パス上に再生中継器（ＲＥＧ：REGenarator）を配置することによって、新設チャネルの光パスを分割する（ステップＳ３２５）。ＲＥＧの配置手法としては、例えば、距離二等分法やスパン数二等分法等の既存の手法が用いられる。
【０１３７】
一方、決定部３３は、ＳＬＡとして取得された遅延が「Ｐｒｅｍｉｕｍ」である場合には（ステップＳ３２４；Ｙｅｓ）、伝送品質判定処理で算出した判定対象のＱ値が閾値Ｑｔｈを満たすように、調整量を決定する調整量決定処理を実行する（ステップＳ３２６）。
【０１３８】
ここで、図２１を用いて、ステップＳ３２６の調整量決定処理の一例を説明する。図２１は、実施例３の光伝送システムの調整量決定処理の一例を示すフローチャートである。
【０１３９】
図２１に示すように、管理装置３の決定部３３は、伝送品質判定処理を実行する（ステップＳ３５１）。ステップＳ３５１の伝送品質判定処理は、図１１を用いて既に説明した伝送品質判定処理に対応するので、ここでは、その詳細な説明を省略する。
【０１４０】
決定部３３は、ＷＤＭ光内の各チャネルのＱ値のうち新設チャネルのＱ値が閾値Ｑｔｈを満たす場合、すなわち、新設チャネルの伝送品質が良好である場合には（ステップＳ３５２；Ｙｅｓ）、処理をステップＳ３６３に移行する。
【０１４１】
一方、決定部３３は、ＷＤＭ光内の各チャネルのＱ値のうちＳＬＡ変更対象チャネルのＱ値が閾値Ｑｔｈを満たさない場合、すなわち、ＳＬＡ変更対象チャネルの伝送品質が良好でない場合（ステップＳ３５２；Ｎｏ）、以下の処理を行う。すなわち、決定部３３は、ＳＬＡ変更対象チャネルの光パワーを増加量ΔＰだけ増加させる仮調整量を決定する（ステップＳ３５３）。
【０１４２】
決定部３３は、増加量ΔＰの累積値が予め定められた上限値を超過する場合には（ステップＳ３５４；Ｎｏ）、調整量の増加によって伝送品質が改善されないと判定し（ステップＳ３５５）、処理を終了する。
【０１４３】
一方、決定部３３は、増加量ΔＰの累積値が予め定められた上限値以下である場合には（ステップＳ３５４；Ｙｅｓ）、ＳＬＡが変更されない既設チャネルの光パワーを減少量ΔＰ／Ｎだけ減少させる仮調整量を決定する（ステップＳ３５６）。ＳＬＡが変更されない既設チャネルを、以下では「非変更対象チャネル」と呼ぶ。すなわち、決定部３３は、ＳＬＡ変更対象チャネルの光パワーを増加量ΔＰだけ増加させるとともに、減少量ΔＰ／Ｎだけ非変更対象チャネルの光パワーを減少させる第一の調整量を決定する。
【０１４４】
決定部３３は、伝送品質判定処理を実行する（ステップＳ３５７）。ステップＳ３５７の伝送品質判定処理は、図１１を用いて既に説明した伝送品質判定処理に対応するので、ここでは、その詳細な説明を省略する。
【０１４５】
決定部３３は、ＷＤＭ光内の各チャネルのＱ値のうち非変更対象チャネルのＱ値が閾値Ｑｔｈを満たす場合、すなわち、非変更対象チャネルの伝送品質が良好である場合（ステップＳ３５８；Ｙｅｓ）、処理をステップＳ３６２に移行する。
【０１４６】
一方、決定部３３は、非変更対象チャネルの伝送品質が良好でない場合（ステップＳ３５８；Ｎｏ）、非変更対象チャネルのＳＬＡとして取得された遅延が「Ｂｅｓｔ−ｅｆｆｏｒｔ」であるか否かを判定する（ステップＳ３５９）。
【０１４７】
決定部３３は、非変更対象チャネルのＳＬＡとして取得された遅延が「Ｂｅｓｔ−ｅｆｆｏｒｔ」である場合（ステップＳ３５９；Ｙｅｓ）、以下の処理を行う。すなわち、決定部３３は、非変更対象チャネルの光パス上にＲＥＧを配置することによって、非変更対象チャネルの光パスを分割する（ステップＳ３６０）。
【０１４８】
一方、決定部３３は、非変更対象チャネルのＳＬＡとして取得された遅延が「Ｂｅｓｔ−ｅｆｆｏｒｔ」でない場合（ステップＳ３５９；Ｎｏ）、以下の処理を行う。すなわち、決定部３３は、非変更対象チャネルのうち閾値Ｑｔｈを満たさない非変更対象チャネルの光パワーを減少量ΔＰ／Ｎだけ増加させる仮調整量を新たに決定する（ステップＳ３６１）。
【０１４９】
決定部３３は、光パワーが増加した既設チャネルの総数ｍを減少量ΔＰ／Ｎに乗算した量（ΔＰ／Ｎ）×ｍだけＳＬＡ変更対象チャネルの光パワーを減少させる仮調整量を新たに決定し（ステップＳ３６２）、処理をステップＳ３５１に戻す。すなわち、決定部３３は、第一の調整量を決定した後、非変更対象チャネルの光パワーを減少量ΔＰ／Ｎだけ増加させ、かつ、該チャネルの総数を減少量ΔＰ／Ｎに乗算した量だけＳＬＡ変更対象チャネルの光パワーを減少させる第二の調整量を決定する。
【０１５０】
ステップＳ３６３において、決定部３３は、新設チャネルの伝送品質が良好であるので、伝送品質が改善されると判定する（ステップＳ３６３）。そして、決定部３３は、調整対象の光伝送装置２に設定すべき調整量として、第一の調整量及び第二の調整量等の仮調整量を決定する（ステップＳ３６４）。そして、決定部３３は、決定した調整量をＬＡＮ等を経由して調整対象の光伝送装置２に設定する（ステップＳ３６５）。
【０１５１】
図２０の説明に戻る。決定部３３は、調整量決定処理によって伝送品質が改善されない場合（ステップＳ３２７；Ｎｏ）、処理をステップＳ３２５に移行する。
【０１５２】
一方、決定部３３は、調整量決定処理によって伝送品質が改善される場合（ステップＳ３２７；Ｙｅｓ）、調整量を設計結果として内部メモリ等に記録する（ステップＳ３２８）。
【０１５３】
その後、決定部３３は、ＳＬＡ変更対象チャネルの光パスが増加した場合（ステップＳ３２９；Ｙｅｓ）、処理をステップＳ３２１に戻す。一方、決定部３３は、ＳＬＡ変更対象チャネルの光パスが増加していない場合（ステップＳ３２９；Ｎｏ）、処理をステップＳ３３０に移行する。
【０１５４】
調整対象の光伝送装置２の制御部２６は、管理装置３から設定される調整量に基づき、調整機能付きＷＳＳ２４の透過特性を調整し（ステップＳ３３０）、設計時信号調整処理を終了する。その結果、調整機能付きＷＳＳ２４は、ＷＤＭ光内の各チャネルのＱ値が閾値Ｑｔｈを満たすように、ＷＤＭ光内の各チャネルの光パワーを調整し、調整したＷＤＭ光を出力する。
【０１５５】
次に、図１８のステップＳ３０３に示した運用時信号調整処理の詳細を説明する。図２２は、実施例３の光伝送システムの運用時信号調整処理の一例を示すフローチャートである。
【０１５６】
図２２に示すように、設計時信号調整処理が完了すると（ステップＳ３７１；Ｙｅｓ）、調整対象の光伝送装置２の制御部２６は、管理装置３から設定される調整量に基づき、調整機能付きＷＳＳ２４の透過特性を継続的に調整する（ステップＳ３７２）。
【０１５７】
管理装置３の決定部３３は、伝送品質判定処理を実行する（ステップＳ３７３）。ステップＳ３７３の伝送品質判定処理は、図１１を用いて既に説明した伝送品質判定処理に対応するので、ここでは、その詳細な説明を省略する。
【０１５８】
決定部３３は、ＷＤＭ光内の各チャネルのＱ値のうち新設チャネルのＱ値が閾値Ｑｔｈを満たす場合、すなわち、新設チャネルの伝送品質が良好である場合には（ステップＳ３７４；Ｙｅｓ）、処理をステップＳ３８４に移行する。
【０１５９】
一方、決定部３３は、ＷＤＭ光内の各チャネルのＱ値のうちＳＬＡ変更対象チャネルのＱ値が閾値Ｑｔｈを満たさない場合、すなわち、ＳＬＡ変更対象チャネルの伝送品質が良好でない場合（ステップＳ３７４；Ｎｏ）、以下の処理を行う。すなわち、決定部３３は、ＳＬＡ変更対象チャネルの光パワーを増加量ΔＰだけ増加させる仮調整量を決定する（ステップＳ３７５）。
【０１６０】
決定部３３は、増加量ΔＰの累積値が予め定められた上限値を超過する場合には（ステップＳ３７６；Ｎｏ）、運用時信号調整処理を終了する。
【０１６１】
一方、決定部３３は、増加量ΔＰの累積値が所定の上限値以下である場合には（ステップＳ３７６；Ｙｅｓ）、非変更対象チャネルの光パワーを減少量ΔＰ／Ｎだけ減少させる仮調整量を決定する（ステップＳ３７７）。すなわち、決定部３３は、ＳＬＡ変更対象チャネルの光パワーを増加量ΔＰだけ増加させるとともに、減少量ΔＰ／Ｎだけ非変更対象チャネルの光パワーを減少させる第一の調整量を決定する。
【０１６２】
決定部３３は、伝送品質判定処理を実行する（ステップＳ３７８）。ステップＳ３７８の伝送品質判定処理は、図１１を用いて既に説明した伝送品質判定処理に対応するので、ここでは、その詳細な説明を省略する。
【０１６３】
決定部３３は、ＷＤＭ光内の各チャネルのＱ値のうち非変更対象チャネルのＱ値が閾値Ｑｔｈを満たす場合、すなわち、非変更対象チャネルの伝送品質が良好である場合（ステップＳ３７９；Ｙｅｓ）、処理をステップＳ３８３に移行する。
【０１６４】
一方、決定部３３は、非変更対象チャネルの伝送品質が良好でない場合（ステップＳ３７９；Ｎｏ）、非変更対象チャネルのＳＬＡとして取得された遅延が「Ｂｅｓｔ−ｅｆｆｏｒｔ」であるか否かを判定する（ステップＳ３８０）。
【０１６５】
決定部３３は、非変更対象チャネルのＳＬＡとして取得された遅延が「Ｂｅｓｔ−ｅｆｆｏｒｔ」である場合（ステップＳ３８０；Ｙｅｓ）、以下の処理を行う。すなわち、決定部３３は、非変更対象チャネルの光パス上にＲＥＧを配置することによって、非変更対象チャネルの光パスを分割する（ステップＳ３８１）。
【０１６６】
一方、決定部３３は、非変更対象チャネルのＳＬＡとして取得された遅延が「Ｂｅｓｔ−ｅｆｆｏｒｔ」でない場合（ステップＳ３８０；Ｎｏ）、以下の処理を行う。すなわち、決定部３３は、非変更対象チャネルのうち閾値Ｑｔｈを満たさない非変更対象チャネルの光パワーを減少量ΔＰ／Ｎだけ増加させる仮調整量を新たに決定する（ステップＳ３８２）。
【０１６７】
決定部３３は、光パワーが増加した非変更対象チャネルの総数ｍを減少量ΔＰ／Ｎに乗算した量（ΔＰ／Ｎ）×ｍだけ新設チャネルの光パワーを減少させる仮調整量を新たに決定し（ステップＳ３８３）、処理をステップＳ３７３に戻す。すなわち、決定部３３は、第一の調整量を決定した後、非変更対象チャネルの光パワーを減少量ΔＰ／Ｎだけ増加させ、かつ、該チャネルの総数を減少量ΔＰ／Ｎに乗算した量だけＳＬＡ変更対象チャネルの光パワーを減少させる第二の調整量を決定する。
【０１６８】
ステップＳ３８４において、決定部３３は、調整対象の光伝送装置２に設定すべき調整量として、第一の調整量及び第二の調整量等の仮調整量を決定する（ステップＳ３８４）。そして、決定部３３は、決定した調整量をＬＡＮ等を経由して調整対象の光伝送装置２に設定する（ステップＳ３８５）。
【０１６９】
上述したように、実施例３の管理装置３は、ＳＬＡ変更対象チャネルのＱ値が閾値Ｑｔｈを満たさない場合に、ＳＬＡ変更対象チャネルの光パワーを増加させ、かつ、非変更対象チャネルの光パワーを減少させる調整量を決定する。その結果、実施例３によれば、ＳＬＡが変更されない既設チャネルの光パワーを均等に減少させるとともに、ＳＬＡが変更される既設チャネルの伝送品質を改善させることができる。
【０１７０】
（変形例）
なお、上記実施例１の光伝送装置では、ＷＤＭ光内の各チャネルの光パワーを調整する調整機能付きＷＳＳ２４を光伝送装置２に設けた。しかしながら、光伝送装置２は、図２３に示すように、調整機能付きＷＳＳ２４に代えて、ＷＤＭ光内の各チャネルの光パワーを調整する調整機能付きＶＯＡ（Variable  Optical  Attenuator）２４ａを有しても良い。図２３は、実施例１の変形例の光伝送システム内の光伝送装置及び管理装置の構成例を示す説明図である。実施例１の変形例によれば、実施例１と同様に、ＳＬＡに応じてＷＤＭ光内の各チャネルの伝送品質を自律的に調整することができる。
【符号の説明】
【０１７１】
１  光伝送システム
２  光伝送装置
３、３ａ  管理装置
４  光伝送路
２６  制御部
３１  取得部
３２  変換部
３３、３３ａ  決定部
【図１】
2015019337.tif 000008
【図２】
2015019337.tif 000009
【図３】
2015019337.tif 000010
【図４】
2015019337.tif 000011
【図５】
2015019337.tif 000012
【図６】
2015019337.tif 000013
【図７】
2015019337.tif 000014
【図８】
2015019337.tif 000015
【図９】
2015019337.tif 000016
【図１０】
2015019337.tif 000017
【図１１】
2015019337.tif 000018
【図１２】
2015019337.tif 000019
【図１３】
2015019337.tif 000020
【図１４】
2015019337.tif 000021
【図１５】
2015019337.tif 000022
【図１６】
2015019337.tif 000023
【図１７】
2015019337.tif 000024
【図１８】
2015019337.tif 000025
【図１９】
2015019337.tif 000026
【図２０】
2015019337.tif 000027
【図２１】
2015019337.tif 000028
【図２２】
2015019337.tif 000029
【図２３】
2015019337.tif 000030